(57)【特許請求の範囲】
【請求項１】
データ領域を備えた光記録媒体のスペア領域の割当方法において、
主スペア領域および補助スペア領域の双方が割り当てられる第１モードを提供する過程と、
主スペア領域のみが割り当てられる第２モードを提供する過程と、
光記録媒体がフォーマット化された時、ユーザまたは製造者の選択に基づいて、前記第１および前記第２モードのうちのどちらか１つに前記スペア領域が割り当てられる過程と
を含み、前記第１モードでの前記補助スペア領域の割当は、論理セクタ番号（ＬＳＮ）が与えられずに行われ、
前記第１および前記第２モードにおける前記主スペア領域は、前記光記録媒体のデータ領域の内周領域に割り当てられ、前記内周領域は前記光記録媒体のリードイン領域に近接し、
前記第１モードにおける前記補助スペア領域は、前記光記録媒体のデータ領域の外周領域に割り当てられ、前記外周領域は前記光記録媒体のリードアウト領域に近接していることを特徴とする方法。
【請求項２】
前記第１モードにおける前記主スペア領域の大きさは、前記第２モードにおける前記主スペア領域の大きさに基づいて決定されることを特徴とする請求項１に記載の方法。
【請求項３】
前記第１モードにおける前記補助スペア領域の大きさは、前記光記録媒体のデータ領域の大きさから前記ユーザ領域の大きさおよび前記主スペア領域の大きさを差し引いて決定されることを特徴とする請求項１に記載の方法。
【請求項４】
前記第２モードは、データが前記光記録媒体に記録される間および／あるいはデータが前記光記録媒体から再生される間に前記補助スペア領域の割当を行う過程を更に含むことを特徴とする請求項１に記載の方法。
【請求項５】
前記第２モードが選択された場合に、前記第１モードから前記第２モードへ変換する過程あるいは、前記第１モードが選択された場合に前記第２モードから前記第１モードへ変換する過程を更に含み、前記変換する過程は前記光記録媒体がフォーマット化される際に実行されることを特徴とする請求項１に記載の方法。
【請求項６】
前記変換過程は、前記光記録媒体の二次欠陥リスト（ＳＤＬ）に登録された欠陥ブロックまたは欠陥ブロック中の欠陥セクタのみを前記光記録媒体の一次欠陥リスト（ＰＤＬ）に登録する過程を更に含むことを特徴とする請求項５に記載の方法。
【請求項７】
前記光記録媒体をフォーマット化する際に、前記割り当て済みの補助スペア領域を取り消して前記第１モードを前記第２モードへ変換することを特徴とする請求項５に記載の方法。
【請求項８】
前記光記録媒体をフォーマット化する際に、前記主スペア領域および前記補助スペア領域の双方を割り当てて前記第２モードを前記第１モードへ変換することを特徴とする請求項５に記載の方法。
【請求項９】
フォーマット化中に発見された欠陥ユニットを管理するための一次欠陥リストと、フォーマット化後に発見された欠陥ユニットを管理するための二次欠陥リストを含む光記録媒体のスペア領域の割当方法において、
フォーマット化中に、光記録媒体に主スペア領域および補助スペア領域を提供する第１モードと、光記録媒体に主スペア領域のみを提供する第２モードのいずれが必要かを、ユーザまたは製造者の選択に基づいて決定する過程と、
前記決定する過程の結果に基づいて前記第１モードおよび前記第２モードのうちのどちらか１つを設定する過程と
を含み、
前記第１および前記第２モードにおける前記主スペア領域は、前記光記録媒体のデータ領域の内周領域に割り当てられ、前記内周領域は前記光記録媒体のリードイン領域に近接し、
前記第１モードにおける前記補助スペア領域は、前記光記録媒体のデータ領域の外周領域に割り当てられ、前記外周領域は前記光記録媒体のリードアウト領域に近接していることを特徴とする方法。
【請求項１０】
前記設定する過程は、前記決定するステップ結果によりモード変換が必要な場合、前記先行するモードを必要なモードに変換するステップをさらに有し、
先行するモードは前記第１モードで、前記必要とされるモードは前記第２モードであり、前記変換する過程は前記光記録媒体がフォーマットされている時に実行されることを特徴とする請求項９に記載の方法。
【請求項１１】
前記光記録媒体の二次欠陥リスト（ＳＤＬ）に登録された、欠陥ブロックまたは欠陥ブロック中の欠陥セクタのみを、前記光記録媒体の一次欠陥リスト（ＰＤＬ）に登録する過程を更に含むことを特徴とする請求項１０に記載の方法。
【請求項１２】
前記一次欠陥リストに新たに登録された前記欠陥セクタと同数のセクタを前記主スペア領域に入れ込む過程を更に含むことを特徴とする請求項１１に記載の方法。
【請求項１３】
フォーマット化の後に補助スペア領域の割当が必要か否かを決定する過程と、
補助スペア領域の割当が必要な場合は前記補助スペア領域の割当を行う過程と
を更に含むことを特徴とする請求項１０に記載の方法。
【請求項１４】
前記主スペア領域が満杯になった時点で前記補助スペア領域の割当が必要となることを特徴とする請求項１３に記載の方法。
【請求項１５】
フォーマット化の途中で発見された欠陥セクタの管理のための一次欠陥リストおよびフォーマット化の後に発見された欠陥ブロックを管理するための二次欠陥リストを備えた光記録媒体のスペア領域の割当方法において、
フォーマット化中に、光記録媒体に主スペア領域および補助スペア領域を提供する第１モードと、光記録媒体に主スペア領域のみを提供する第２モードのいずれが必要かを、ユーザまたは製造者の選択に基づいて決定する過程を含み、前記第１および前記第２モードにおける前記主スペア領域は、前記光記録媒体のデータ領域の内周領域に割り当てられ、前記内周領域は前記光記録媒体のリードイン領域に近接し、前記第１モードにおける前記補助スペア領域は、前記光記録媒体のデータ領域の外周領域に割り当てられ、前記外周領域は前記光記録媒体のリードアウト領域に近接し、
前記第２モードが必要であれば、前記第２モードを遂行する過程と、
前記二次欠陥リストに登録された、欠陥ブロックまたは欠陥ブロック中の欠陥セクタのみを、フォーマット中に前記一次欠陥リストに登録する過程と
を含むことを特徴とする方法。
【請求項１６】
前記一次欠陥リストに新たに登録された前記欠陥セクタと同数のセクタを前記主スペア領域に入れ込む過程を更に含むことを特徴とする請求項１５に記載の方法。
【請求項１７】
前記一次欠陥リストに新たに登録された欠陥セクタと同数の、前記補助スペア領域内のセクタをユーザ領域の一部として割り当てる過程を更に含むことを特徴とする請求項１５に記載の方法。
【請求項１８】
フォーマット化の後に補助スペア領域の割当が必要か否かを決定する過程と、  
補助スペア領域の割当が必要な場合は補助スペア領域の割当を行う過程と
を更に含むことを特徴とする請求項１６または１７に記載の方法。
【請求項１９】
前記主スペア領域が満杯になった時点で前記補助スペア領域の割当てが必要であることが決定されることを特徴とする請求項１８に記載の方法。
【請求項２０】
データ領域を有する光記録媒体のスペア領域を割り当てる装置であって、
前記装置は、主スペア領域と補助スペア領域の両方を割り当てる第１モードと、主スペア領域のみを割り当てる第２モードを提供し、前記光記録媒体がフォーマットされる際にユーザまたは製造者の選択に基づいて前記第１モードと前記第２モードのうちどちらか１つに、前記スペア領域を割り当てるように構成され、
前記第１および前記第２モードにおける前記主スペア領域は、前記光記録媒体のデータ領域の内周領域に割り当てられ、前記内周領域は前記光記録媒体のリードイン領域に近接し、
前記第１モードにおける前記補助スペア領域は、前記光記録媒体のデータ領域の外周領域に割り当てられ、前記外周領域は前記光記録媒体のリードアウト領域に近接し、
前記第１モードでの前記補助スペア領域は、論理セクタ番号（ＬＳＮ）が与えられずに割り当てられることを特徴とする装置。
【請求項２１】
前記装置は、前記第２モードが選択された場合、前記第１モードから前記第２モードに変換し、前記第１モードが選択された場合、前記第２モードから前記第１モードに変換するようにようにさらに構成され、前記変換は前記光記録媒体がフォーマットされる際に実行されることを特徴とする請求項２０に記載の装置。
【発明の詳細な説明】
【技術分野】
【０００１】
本発明は書換可能な光記録媒体及びその光記録媒体のスペア領域の割当方法に関する。
【背景技術】
【０００２】
一般的に、自由に繰り返して書き換えできる光記録媒体、すなわち、光ディスクとしては、書換可能なコンパクトディスク（ＣＤ−ＲＷ）と書換可能なディジタル多機能ディスク(ＤＶＤ−ＲＡＭ、ＤＶＤ−ＲＷ、ＤＶＤ＋ＲＷ)がある。
【０００３】
そして、このような書換可能型光ディスクの場合、その使用特性上、情報の記録／再生作業が繰り返して行われるが、その繰り返し記録、再生によって、光ディスクに情報記録のために形成された記録層を構成する混合物の混合比率が初期の混合比率と異なってきて、その特性を損ない、情報の記録／再生時にエラーが発生する。
【０００４】
このような現象を劣化というが、この劣化した領域は光ディスクのフォマット、記録、再生命令実行時に欠陥領域として現れる。また、書換可能型光ディスクの欠陥領域は、この劣化現象以外にも表面のキズ、塵などの微塵、製作時の間違いなどにより発生することもある。
したがって、前記のような原因で形成された欠陥領域にデータが記録／再生されるのを防止するために、欠陥領域の管理が必要である。 
【０００５】
そのために、図１に示すように、光ディスクのリードイン領域とリードアウト領域に欠陥管理領域(ＤＭＡ）を用意し、光ディスクの欠陥領域を管理している。
また、データ領域はゾーン別に分けて管理するが、各ゾーンは実際にデータが記録されるユーザー領域とユーザー領域に欠陥が発生したときに利用するためのスペア領域とに分けられている。
【０００６】
一般的に一つのディスク（例えば、ＤＶＤ−ＲＡＭ）には四つのＤＭＡがあるが、そのうち二つはリードイン領域にあり、残りはリードアウト領域にある。この欠陥領域の管理は重要であるので、データ保護のために四つのＤＭＡには同一の内容が繰り返して記録されている。各ＤＭＡは二つのブロックからなり、全体で３２セクタとなる。すなわち、一つのブロックは１６セクタである。
【０００７】
各ＤＭＡの第１ブロック（ＤＤＳ／ＰＤＬブロックという）はＤＤＳ（Disc Definition Structure)とＰＤＬとを含み、各ＤＭＡの第２ブロック（ＳＤＬブロックという）はＳＤＬを含む。ＰＤＬは初期欠陥データの格納部であり、ＳＤＬは２次欠陥データの格納部である。
【０００８】
一般的にＰＤＬは、ディスク製作過程で発生した欠陥、そして、ディスクを初期化、すなわち、最初のフォーマット化及び再フォーマット化のときに確認された全ての欠陥セクタのエントリを格納する。ここで、各エントリは、エントリタイプと欠陥セクタに対応するセクタ番号とで構成される。
【０００９】
一方、ＳＤＬはブロック単位でリストするが、フォーマット後に発生する欠陥領域やフォマットのときにＰＤＬに格納できなかった欠陥領域のエントリを格納する。
各ＳＤＬエントリは、欠陥セクタが発生したブロックの最初のセクタのセクタ番号を格納する領域と、それと交替する交替ブロックの最初のセクタのセクタ番号を格納する領域とで構成される。
【００１０】
データ領域内の欠陥領域（すなわち、欠陥セクタまたは欠陥ブロック）は正常な領域と交替されるが、その交替方法としてはスリップ交替とリニア交替がある。
【００１１】
スリップ交替は、欠陥領域がＰＤＬに格納されている場合に適用する方法で、図２ａに示すように、実際にデータが記録されるユーザー領域に欠陥セクタがあると、その欠陥セクタを飛ばして、その欠陥セクタの次の正常セクタに交替してデータを記録する。交替したセクタの数だけデータが記録された領域がスペア領域に入り込む。
すなわち、飛ばした欠陥セクタだけスペア領域がユーザー領域として割り当てられる。たとえば、ＰＤＬに二つの欠陥セクタが格納されていれば、データはスペア領域の２セクタまで拡張して記録される。
【００１２】
また、リニア交替は、欠陥領域がＳＤＬに登録されている場合に適用される方法で、図２ｂに示すように、ユーザー領域に欠陥ブロックが存在すると、スペア領域に割り当てられたブロックがまとめて交替領域とされてそこにデータを記録する。
【００１３】
一方、スペア領域を割り当てる方法として、前記の図１の外にも、データ領域のある１ゾーンにのみ割り当てるか、データ領域の一部に割り当てるなどの方法が提案されている。そのうち一つが、図３に示すように、スペア領域をデータ領域の前に位置させる方法である。この例のスペア領域を第１スペア領域（ＰＳＡ：第１ＳＡ）という。すなわち、第一スペア領域を除いた残りのデータ領域が結局ユーザー領域となる。
【００１４】
第１スペア領域は最初のフォーマット化の過程で割り当てられる領域であって、論理的セクタ番号（ＬＳＮ）が与えられていない。したがって、第１スペア領域は光ディスクの製造時に割り当てることも、また、最初のフォーマット化の時に割り当てることもできる。
この第１スペア領域のサイズは最初のデータ記録容量（つまり、最初のユーザー領域）によって多様に割り当てることができる。一例として示すと、４．７ＧＢのサイズを有するＤＶＤ−ＲＯＭとの互換性のためにユーザー領域を４．７ＧＢに割当て、残りの２６ＭＢを第１スペア領域に割り当てることができる。
【００１５】
説明の便宜のために、以後、図３の（ｂ）のように、最初のユーザー領域が４．７ＧＢに割り当てられるディスクをモード−２と称し、最初のユーザー領域が４．７ＧＢより少なく割り当てられるディスクを図３の（ａ）のように、モード−１と称する。そのモード−１の一例としてユーザー領域を４．５８ＧＢに割り当てると、第１スペア領域は１４５ＭＢが割り当てられる。
【発明の開示】
【発明が解決しようとする課題】
【００１６】
しかし、モード−１、モード−２のように、最初のユーザー領域のサイズに応じて第１スペア領域に割り当てられるサイズが変わる。即ち、全体的な光ディスクのサイズ及びトラックピッチは同じであるが、最初のユーザー領域のサイズに応じて第１スペア領域の初期のサイズが変わることにより、双方のモード間の互換性を悪くするという問題がある。
【００１７】
本発明は上記問題点を解決するためのもので、その目的は相違する最初のユーザー領域のサイズを有する光記録媒体の第１スペア領域の初期サイズを同一に割り当てる光記録媒体を提供することにある。
【００１８】
本発明の他の目的は、モードに応じて、フォーマット化の時、内周と外周の側に第１スペア領域と第２スペア領域が各々割り当てられる光記録媒体を提供することにある。
【００１９】
本発明のさらに他の目的は、モードに応じて、フォーマット化の時にいずれかが第１スペア領域と第２スペア領域を共に割当て、他は第１スペア領域のみを割り当てるような光記録媒体のスペア領域の割当て方法を提供することにある。
【００２０】
本発明のさらに他の目的は、モードが異なっても相互互換性がある光記録媒体のスペア領域の割当て方法を提供することにある。
【課題を解決するための手段】
【００２１】
上記目的を達成するための本発明による光記録媒体は、データ領域がユーザー領域とスペア領域とに区分され、データ領域のサイズは同一であるが、最初のユーザー領域のサイズが異なる複数の光記録媒体の最初の第１スペア領域のサイズを同一としたことを特徴とする。
【００２２】
本発明による光記録媒体のスペア領域の割当て方法は、データ領域がユーザー領域とスペア領域とに区分され、所望のユーザー領域のサイズに応じてフォーマット化のとき内周の側に第１スペア領域のみ割り当てるか、内周と外周の側に各々第１スペア領域と第２スペア領域を共に割り当てることを特徴とする。
【００２３】
本発明による光記録媒体のスペア領域の割当て方法は、フォーマット化のとき第１、第２スペア領域が共に割り当てられるモードの第１スペア領域のサイズと、第１スペア領域のみ割り当てられるモードの第１スペア領域のサイズとは同一であることを特徴とする。
【００２４】
本発明による光記録媒体のスペア領域の割当て方法は、第１スペア領域を同一サイズに割り当て、ユーザー領域のサイズが異なる場合、フォーマット化のときに第１、第２スペア領域が共に割り当てられるモードと第１スペア領域のみ割り当てられるモードは、第２スペア領域の割当てまたは割当ての解除によって互いに変換可能であることを特徴とする。
【００２５】
前記第１、第２スペア領域が共に割り当てられるモードは、フォーマット化によって第２スペア領域を割当て解除することで、第１スペア領域のみ割り当てられるモードに変換できることを特徴とする。
【００２６】
前記第１スペア領域のみ割り当てられるモードは、フォーマット化によって第１、第２スペア領域を共に割当てるモードに変換できることを特徴とする。
【発明の効果】
【００２７】
本発明による光記録媒体及び光記録媒体のスペア領域の割当て方法によれば、モード−１とモード−２の第１スペア領域の最初のサイズを同一に割り当てることによって、モード間の相互互換性を高めることができる。
特に、モード−１の場合、第２スペア領域はフォーマット化の時に第１スペア領域と同時に割当て、モード−２の場合第２スペア領域は必要時に割り当てることができるが、フォーマット化のときモード変換を通してモード−１またはモード−２を自由に選択することができる。
【発明を実施するための最良の形態】
【００２８】
以下、本発明の好ましい実施の形態を添付の図面を参照にして詳細に説明する。
【００２９】
本発明は全体的な光ディスクのサイズとトラックピッチを同一として、最初のユーザー領域のサイズが異なるディスクの場合、第１スペア領域の初期のサイズを同一に割り当てることにより、これらのディスク間の相互互換性を高めることにある。即ち、モード−１（例えば、初期ユーザー領域のサイズが４．７ＧＢより少ない場合）とモード−２（例えば、初期ユーザー領域のサイズが４．７ＧＢである場合）の第１スペア領域（第１ＳＡ）をフォーマット化のとき同一サイズに割り当てる。
【００３０】
一例として、モード−２の場合は、初期ユーザー領域のサイズが４．７ＧＢであり、第１スペア領域のサイズは２６ＭＢである。その場合、モード−１の第１スペア領域のサイズをモード−２の第１スペア領域と同様に２６ＭＢと決める。
【００３１】
モード−１の場合は、初期ユーザー領域のサイズが４．５８ＧＢとすると、データ領域の全体のサイズから第１スペア領域（例えば、第１ＳＡは２６ＭＢ）とユーザー領域のサイズを除いた残りをスペア領域（＝データ領域の全体サイズ−（第１スペア領域のサイズ＋ユーザー領域のサイズ））として割り当てる必要がある。
一例として、本実施形態は図４の（ｂ）に示すように、その残ったスペア領域をデータ領域のボトム部分に割り当てる。説明の便宜のためにそれを第２スペア領域と称する。
【００３２】
この際、第２スペア領域はフォーマット化のとき第１スペア領域と共に割り当てる。即ち、モード−１の第１、第２スペア領域はディスクの製造時に割り当てることも、ディスクのフォーマット化の時に割り当てることもできる。一方、モード−２の場合は、記録／再生中に必要であればボトム部分に第２スペア領域を割り当てることもできる。
【００３３】
ここで、モード−１の場合は、第１スペア領域と同様に第２スペア領域にもＬＳＮが与えられない。即ち、モード−１の場合は、４．５８ＧＢにのみＬＳＮが与えられ、モード−２の場合は、４．７ＧＢにＬＳＮが与えられる。そして、モード−１の場合、第１スペア領域が２６ＭＢであれば、第２スペア領域は１１９ＭＢとなり、これは第１スペア領域のサイズに応じて変えることができる。
【００３４】
一方、モード−１とモード２の選択は図５のようにフォーマット化のとき製造業者またはユーザーにより行われる。
図５でフォーマットが選択され（ステップ５０１）、製造業者またはユーザーは所望のモードを選択する。ここで、モード−１が選択されるとディスクのトップとボトムの部分に各々第１、第２スペア領域を割当て（ステップ５０３）、モード−２が選択されると、トップの部分に第１スペア領域のみを割り当てる（ステップ５０４）。
【００３５】
即ち、フォーマット化の時にモード−１が選択されると、第１スペア領域と第２スペア領域及びユーザー領域が全て割り当てられる。一例として第１スペア領域は２６ＭＢ、ユーザー領域は４．５８ＧＢ、第２スペア領域は１１９ＭＢに割り当てられる。そして、モード−２が選択されると、フォーマット化の時に第１スペア領域とユーザー領域のみが割り当てられる。一例として、第１スペア領域は２６ＭＢ、ユーザー領域は４．７ＧＢに割り当てられる。
【００３６】
また、モード−１とモード−２の第１スペア領域のサイズが同一であるので、既にモード−１またはモード−２として使用中のディスクであってもモード−１とモード−２の変換が何時でも可能である。即ち、使用中のディスクをモード−１からモード−２に変換したい時は、図６のように、フォーマット化を通して第２スペア領域のみ割当てを解除すれば良い。この際、ＳＤＬに登録された欠陥ブロック、または欠陥ブロックのうち実際に欠陥のあるセクタのみがＰＤＬに登録され、新たにＰＤＬに登録される欠陥セクタの数だけ第１スペア領域がスリッピングされる。その際、第１スペア領域が一杯であれば、ボトム部分に第２スペア領域を割り当てることができる。
【００３７】
そして、モード−２からモード−１への変換はモード−１からモード−２への変換過程の逆である。即ち、モード−２の第２スペア領域の割当ての有無に係わらず、フォーマット化を通してモード−１に合うように第１スペア領域と第２スペア領域を同時に割り当てるが、図４のように、第１スペア領域はデータ領域のトップに、第２スペア領域はデータ領域のボトム部分に割り当てる。この時も同様に、ＳＤＬに登録された欠陥ブロックまたは欠陥ブロックのうち実際に欠陥のあるセクタのみがＰＤＬに登録され、新たにＰＤＬに登録される欠陥セクタの数だけ第１スペア領域がスリッピングされる。
【００３８】
なお、本発明は、説明の便宜のために基準記録容量を４．７ＧＢとした場合を例として説明したが、全体的な光ディスクのサイズとトラックピッチが同一であり、かつ最初のユーザー領域のサイズの異なるディスクの場合に全て適用することができる。
【図面の簡単な説明】
【００３９】
【図１】一般的な光ディスクの構造を示す図面。
【図２】一般的なスリッピング交替方法（ａ）と、一般的なリニア交替方法（ｂ）を示す図面。
【図３】スペア領域がデータ領域のトップ位置に割り当てられる例を示す一般的な図面。
【図４】従来の光記録媒体でモード−１のスペア領域の割当て例（ａ）と本発明による光記録媒体でモード−１の第１スペア領域がモード−２の第１スペア領域と同一に割り当てられつつ、残りのサイズがディスクのボトム部分に同時に割り当てられる例（ｂ）を示す図面。
【図５】本発明実施形態による光記録媒体のスペア領域の割当て方法を示す流れ図。
【図６】本発明実施形態による光記録媒体でモード間に相互変換する過程を示す図面。
【図１】
0004943635.tif 000002
【図２】
0004943635.tif 000003
【図３】
0004943635.tif 000004
【図４】
0004943635.tif 000005
【図５】
0004943635.tif 000006
【図６】
0004943635.tif 000007